(57)【要約】【課題】本発明の主たる目的は、簡易なガイド手段にて、給紙トレイの引き出し時、或いは、高速挿入時に生ずるピックアップ手段等の衝突による、破損、噛み込みを解消し、給紙トレイや画像形成装置の外装面の傷を無くし、コストの安い給紙装置及び給紙装置を搭載した画像形成装置を提供すること。【解決手段】記録紙が収納される記録紙収納部と、揺動回転の可能な、記録紙送り出しの為のピックアップ手段及び当該ピックアップ手段の揺動回転に連動するガイド手段を備えた給紙部とを有し、被給紙装置に対して引き出し可能な給紙装置において、前記ガイド手段が略垂直に起立状態の前記ピックアップ手段と共に略起立状態であるときに、挿入方向端部から略引き出し方向の当接を受けて、揺動回転可能に構成されることを特徴とする給紙装置。【選択図】　　　　図５
2004051321.tif 000002
【特許請求の範囲】
【請求項１】
記録紙が収納される記録紙収納部と、揺動回転の可能な、記録紙送り出しの為のピックアップ手段及び当該ピックアップ手段の揺動回転に連動するガイド手段を備えた給紙部とを有し、被給紙装置に対して引き出し可能な給紙装置において、
前記ガイド手段が略垂直に起立状態の前記ピックアップ手段と共に略起立状態であるときに、挿入方向端部から略引き出し方向の当接を受けて、揺動回転可能に構成されることを特徴とする給紙装置。
【請求項２】
前記ガイド手段は、挿入方向端部側に、Ｌ形状を有し、挿入方向側近傍のＬ形状の一方の面と同一平面上に台形状の突起部が形成されるガイド板を有することを特徴とする請求項１に記載の給紙装置。
【請求項３】
前記ガイド手段の略起立状態は、前記一方の面の傾きが前記記録紙収納部方向側で、且つ、鉛直面に対して、略１５度＞０度の範囲の角度で設定されることを特徴とする請求項１又は請求項２に記載の給紙装置。
【請求項４】
前記ガイド手段の略起立状態の位置における前記突起部の高さは、略１０ｍｍ〜１ｍｍのオーバラップ量を有して当接するように設定されることを特徴とする請求項２又は請求項３に記載の給紙装置。
【請求項５】
前記ガイド板を形成するもう一方の面には、揺動回転を可能にする支持軸の貫通孔が形成された支持部を有し、当該支持部が引き出し方向と直交方向に形成されていることを特徴とする請求項２乃至請求項４の何れか１項に記載の給紙装置。
【請求項６】
前記もう一方の面の引き出し方向側にピックアップ手段の軸と連動させうる円弧状の長孔が形成された垂直片を有することを特徴とする請求項５に記載の給紙装置。
【請求項７】
前記ピックアップ手段は、ピックアップローラと当該ピックアップローラの揺動回転を可能に支持する支持レバーとからなることを特徴とする請求項１乃至請求項６の何れか１項に記載の給紙装置。
【請求項８】
請求項１乃至請求項７の何れか１項に記載の給紙装置を搭載したことを特徴とする画像形成装置。
【請求項９】
記録紙が収納される記録紙収納部と、揺動回転の可能な、記録紙送り出しの為のピックアップ手段及び当該ピックアップ手段の揺動回転に連動するガイド手段を備えた給紙部とを有し、被給紙装置に対して引き出し可能な給紙装置において、
前記ガイド手段が略垂直に起立状態の前記ピックアップ手段と共に略起立状態にあって、挿入方向端部近傍側部に形成される前記ガイド手段の支持部に対して挿入方向と直交する方向からカム手段の作用を受けているときに、挿入方向端部が略挿入方向からの当接を受けて、揺動回転可能に構成されることを特徴とする給紙装置。
【請求項１０】
前記ガイド手段は、挿入方向端部側に、Ｌ形状を有し、挿入方向端部近傍のＬ形状の一方の面と同一平面上に台形状の突起部が形成されるガイド板であることを特徴とする請求項９に記載の給紙装置。
【請求項１１】
前記ガイド手段の略起立状態は、前記一方の面の傾きが前記記録紙収納部方向側で、且つ、鉛直面に対して、略１５度＞０度の範囲の角度で設定されることを特徴とする請求項９又は請求項１０に記載の給紙装置。
【請求項１２】
前記ガイド手段の起立状態の位置における前記突起部の高さは、略１０ｍｍ〜１ｍｍのオーバラップ量を有して当接するように設定されることを特徴とする請求項１０又は請求項１１に記載の給紙装置。
【請求項１３】
前記ガイド板を形成するもう一方の面には、揺動回転を可能にする支持軸の貫通孔が形成されると共に前記カム手段からの作用を受ける支持部を有し、当該支持部が挿入方向と直交する方向に形成されていることを特徴とする請求項１０乃至請求項１２の何れか１項に記載の給紙装置。
【請求項１４】
前記もう一方の面の引き出し方向側に前記ピックアップ手段の軸と連動させうる円弧状の長孔が形成された垂直片を有することを特徴とする請求項１３に記載の給紙装置。
【請求項１５】
前記カム手段は、扇形状をなす板状のカムと、当該カムの揺動回転中心部を支持する支持軸と、前記支持部と接触させるための弾性部材と、当該カムに対して揺動回転させる為のストライカとから構成されることを特徴とする請求項９乃至請求項１４の何れか１項に記載の給紙装置。
【請求項１６】
前記カムの前記支持部と接触させる側は、略、厚み２ｍｍで幅１５ｍｍの接触部を有し、当該接触部と逆側のカムの下面に前記ストライカと当接させるボスが形成されていることを特徴とする請求項１５に記載の給紙装置。
【請求項１７】
前記ピックアップ手段は、ピックアップローラと当該ピックアップローラの揺動回転を可能に支持する支持レバーとからなることを特徴とする請求項９乃至請求項１６の何れか１項に記載の給紙装置。
【請求項１８】
請求項９乃至請求項１７の何れか１項に記載の給紙装置を搭載したことを特徴とする画像形成装置。
【発明の詳細な説明】
【０００１】
【発明の属する技術分野】
本発明は、複写機、プリンタやファクシミリ等の画像形成装置に関し、特に、記録紙を給紙する給紙装置の改良に係わる。
【０００２】
【従来の技術】
電子写真方式のような高速な画像形成装置に搭載されている給紙装置は、例えば、被給紙装置である画像形成装置の画像形成部等が収納される下側に、記録紙が収納される記録紙収納部と、揺動回転可能な、記録紙送り出しの為のピックアップ手段及び当該ピックアップ手段の揺動回転に連動するガイド手段等を備えた給紙部とを有し、画像形成装置本体から引き出し可能に構成される。
【０００３】
前記記録紙の補給は、給紙装置（以下、給紙トレイとも言う）を引き出して行える構成となっていることは知られている。
【０００４】
【発明が解決しようとする課題】
（１）給紙トレイは、多数枚の記録紙を収納できる記録紙収納部と、揺動回転の可能な、記録紙送り出しの為のピックアップローラとその支持レバーとからなるピックアップ手段と当該支持レバーの支持軸と同軸芯線上で揺動回転が可能で、前記ピックアップローラにより送り出される前記記録紙のガイドができる、前記ピックアップローラの揺動回転に連動するガイド板を有するガイド手段と前記記録紙を１枚ずつに分離するための搬送ローラと捌きローラとの一対のローラを有する分離手段と当該分離手段により分離された記録紙を一旦突き当てられた後、搬送を再開させる一対のプレレジストローラを有するレジスト手段と前記ピックアップ手段とガイド手段に対して揺動回転動作をさせる為の扇形状をなす板状のカムと当該カムに形成されているボスと当該ボスと当接させるストライカとを有するカム手段等を備えた給紙部とから構成されている。
【０００５】
記録紙補給時、前記給紙トレイを画像形成装置本体から引き出した位置で、前記したピックアップ手段とガイド手段（以下、ピックアップ手段等と言う）とを共に揺動回転させて略垂直に起立状態にして、記録紙収納部へ記録紙の補給を行い、記録紙の補給作業完了後、画像形成装置本体内に当該給紙トレイの挿入が行えるようになっている。
【０００６】
挿入する動作で、画像形成装置本体側に配設されているストライカに対して前記ボスを当接させ、カムに対して揺動回転動作を与え、その作用によりピックアップ手段等が給紙トレイの挿入に支障の生じない位置に倒置され、即ち、通常に記録紙のガイドのできる位置にされた状態で画像形成装置本体内の所定位置まで挿入できる構成になっている。
【０００７】
斯様な給紙トレイにおいて、記録紙補給時、当該給紙トレイの上側にある給紙トレイが引き出されてきた場合、当該給紙トレイは、既に、引き出されている故に、ボスとストライカとの当接をなすことが出来ず、従って、当接を介してのピックアップ手段等の倒置が出来ないという問題が生ずる。
【０００８】
従って、上側の給紙トレイの前側下端部と前記ピックアップ手段等とが衝突して破損したり噛み込んだり、或いは、上側の給紙トレイの外装面に傷が付いたりして商品価値を落としてしまうことにもなる。
【０００９】
また、例えば、前記画像形成部の前面に設けられる片開き扉が開かれる場合にも同様のケースが発生しうる。
【００１０】
本発明の第１の目的は、従来の給紙トレイにおける前記問題を解決し、衝突が生じないで、しかも、コストの安い給紙トレイ及び当該給紙トレイを搭載した画像形成装置を提供することにある。
【００１１】
（２）上記構成の給紙トレイにおいて、記録紙補給後の当該給紙トレイの挿入時、ボスによるストライカとの当接を介して、ピックアップ手段等の倒置が自重による回転力でなされるが、その倒置速度よりも早い速度で当該給紙トレイが、画像形成装置本体内に挿入される場合、前記ピックアップ手段等と上側の給紙トレイの前側下端部や画像形成装置本体の外装面とが衝突してしまうという問題が生ずる。
【００１２】
また、給紙トレイの高速な挿入でボスをストライカへ当接させると、カムを含む構成部品に多大な負荷が加わり、その負荷により構成部品が変形をきたし、カムからの作用が他に伝達され難くなり、前記ピックアップ手段等の倒置が遅れ、前記同様の衝突が生ずることもある。
【００１３】
本発明の第２の目的は、従来の給紙トレイの高速挿入時に生ずる前記問題を解決し、倒置遅れの生じない、しかも、コストの安い給紙トレイ及び当該給紙トレイを搭載した画像形成装置を提供することにある。
【００１４】
【課題を解決するための手段】
上記目的は以下の手段により達成される。
【００１５】
（１）記録紙が収納される記録紙収納部と、揺動回転の可能な、記録紙送り出しの為のピックアップ手段及び当該ピックアップ手段の揺動回転に連動するガイド手段を備えた給紙部とを有し、被給紙装置に対して引き出し可能な給紙装置において、前記ガイド手段が略垂直に起立状態の前記ピックアップ手段と共に略起立状態であるときに、挿入方向端部から略引き出し方向の当接を受けて、揺動回転可能に構成されることを特徴とする給紙装置。
【００１６】
（２）（１）に記載の給紙装置を搭載したことを特徴とする画像形成装置。
（３）記録紙が収納される記録紙収納部と、揺動回転の可能な、記録紙送り出しの為のピックアップ手段及び当該ピックアップ手段の揺動回転に連動するガイド手段を備えた給紙部とを有し、被給紙装置に対して引き出し可能な給紙装置において、前記ガイド手段が略垂直に起立状態の前記ピックアップ手段と共に略起立状態にあって、挿入方向端部近傍側部に形成される前記ガイド手段の支持部に対して挿入方向と直交する方向からカム手段の作用を受けているときに、挿入方向端部が略挿入方向からの当接を受けて、揺動回転可能に構成されることを特徴とする給紙装置。
【００１７】
（４）（３）に記載の給紙装置を搭載したことを特徴とする画像形成装置。
【００１８】
【発明の実施の形態】
以下、本発明の実施の形態の一例を図面に基づいて説明する。
【００１９】
図１は、画像形成装置の全体構成を説明するための模式図である。
図２は、給紙部及び搬送部を説明するための模式図である。
【００２０】
本実施形態の画像形成装置は、画像形成装置本体の上部に自動原稿送り装置１、画像形成装置本体内に、画像読取部２、画像形成部３、給紙トレイ部４、搬送部５及び排紙・再給紙部６とを有している。
【００２１】
自動原稿送り装置１は、画像形成装置本体の上部に設けられ、原稿を一枚ずつ送り出し、原稿の画像読取位置へと搬送し、画像読取が終わった原稿を排紙する装置である。自動原稿送り装置１は、原稿を載置する原稿載置台１１、原稿載置台１１上に載置された原稿を１枚ずつ分離する原稿分離手段１２、原稿分離手段１２で分離された原稿を搬送する原稿搬送手段１３、原稿搬送手段１３で搬送された原稿を排紙する原稿排紙手段１４、原稿排紙手段１４によって排紙された原稿を受け止め、載置する原稿排紙台１５及び原稿の両面を読み取る際に原稿の表裏を反転させるための原稿反転手段１６とを有している。
【００２２】
原稿載置台１１上に載置された複数枚の原稿は、原稿分離手段１２によって分離され、１枚ずつ搬送される。原稿分離手段１２によって分離・搬送された原稿は、原稿搬送手段１３によって搬送され、下方に設けられた画像読取部２によって、スリット２１を通して、原稿の画像が読み取られる。
【００２３】
画像が読み取られた原稿は、原稿排紙手段１４によって、原稿排紙台１５上へと排紙される。原稿の両面の画像を読み取る際には、表面の画像が読み取られた原稿は、原稿反転手段１６によって原稿の表裏が反転されて、再度、原稿搬送手段１３によって搬送され、画像読取手段によりスリット２１を通して原稿の裏面の画像が読み取られる。
【００２４】
そして、裏面の画像が読み取られた原稿は、原稿排紙手段１４により原稿排紙台１５上へと排紙される。このような工程が原稿載置台１１上に載置された原稿の枚数分繰り返され、原稿の画像が読み取られる。
【００２５】
また、自動原稿送り装置１は、一体に可倒式に構成されており、自動原稿送り装置１を起こしてプラテンガラス２２部分を開放することにより、プラテンガラス２２上に原稿を直接載置することが出来るように構成されている。
【００２６】
なお、実施の形態では、原稿搬送手段１３によって原稿を搬送しながら、原稿の画像を読み取る場合と、原稿をプラテンガラス２２上に置き、静止させた状態で画像を読み取る場合とがある。
【００２７】
画像読取部２は、原稿の画像を読み取り画像データを生成する手段であり、画像形成装置本体内の上部に設けられている。この画像読取部２は、自動原稿送り装置１の原稿搬送手段１３によって搬送されている原稿の画像を読み取るためのスリット状の開口部であるスリット２１、原稿を直接載置するための原稿台であるプラテンガラス２２、原稿に光照射する光源であるランプ２３１と原稿からの反射光を反射させる第１ミラー２３２とを一体化している第１ミラーユニット２３、第１ミラー２３２からの光を反射させる第２ミラー２４１と第３ミラー２４２とを一体化したＶミラーユニット２４、スリット２１上或いはプラテンガラス２２上の原稿からの反射光をＣＣＤ２６に結像させる結像手段である結像レンズ２５によって結像された光像を光電変換して画像情報を得る画像読取手段であるラインＣＣＤ２６とを有している。
【００２８】
自動原稿送り装置１によって送られている原稿を画像読取部２で読み取る際は、第１ミラーユニット２３及びＶミラーユニット２４は、図１に示すように、第１ミラーユニット２３がスリット２１の下方に位置している。そして、原稿搬送手段１３によってスリット２１を通過する原稿をランプ２３１で光照射し、原稿から反射した光は、第１ミラー２３２、第２ミラー２４１、第３ミラー２４２、結像レンズ２５を介してＣＣＤ２６に入射する。
【００２９】
ＣＣＤ２６は入射した光を光電変換して原稿の画像を読み取る。ＣＣＤ２６の出力から画像データが作成され、作成された画像データに基づいて後記するレーザ書込系３３による書込が行われる。
【００３０】
また、プラテンガラス２２上に載置された原稿の読み取りの場合には、第１ミラーユニット２３とＶミラーユニット２４とを、プラテンガラス２２に沿って図１において右方向に移動させながら、原稿の画像が読み取られる。
【００３１】
画像形成部３は、画像読取部２が生成した画像データに基づいて所定の予め設定されたプロセススピードで搬送されている記録紙Ｐ上に画像を形成する。本実施の形態の画像形成部３は、電子写真プロセスを用いて画像を形成するものである。画像形成部３は、光導電性感光層を有しトナー像を担持する感光体ドラム３１、感光体ドラム３１を一様帯電する帯電器３２、画像データに基づいて感光体ドラム３１上に露光して潜像を形成する露光手段であるレーザ書込系３３、感光体ドラム３１上の潜像を現像してトナー像を形成する現像器３４、感光体ドラム３１上に担持されたトナー像を記録紙Ｐに転写する転写器３５、トナー像が転写された記録紙Ｐを感光体ドラム３１上から分離する分離器３６、転写された後に感光体ドラム３１上に残留したトナーを除去するクリーニング手段３７、記録紙Ｐ上のトナー像を定着する定着手段３８とを有していて、感光体ドラム３１の周囲に、前記手段などが、それぞれ配置されている。
【００３２】
感光体ドラム３１は、図示しない駆動手段によって、矢示の方向に回転し、帯電器３２による一様帯電、レーザ書込系３３によるレジストローラ５６の記録紙Ｐの搬送に同期した露光、現像器３４による現像が行われて画像データに基づいたトナー像が形成される。
【００３３】
形成されたトナー像は、転写器３５により記録紙Ｐ上に転写される。トナー画像が転写された記録紙Ｐは、分離器３６により感光体ドラム３１上から分離され定着手段３８へと搬送され、定着処理される。一方、トナー像が記録紙Ｐへ転写された感光体ドラム３１はクリーニング手段３７によりクリーニングされる。
【００３４】
なお、感光体ドラム３１とレジストローラ５６との間の感光体ドラム３１の近傍に、レジストローラ５６から送りだされた記録紙Ｐを搬送するドラム前搬送ローラ３９が設けられており、記録紙Ｐの搬送力アップに寄与させている。また、分離器３６と定着手段３８との間には、分離器３６によって分離された記録紙Ｐを搬送するために、記録紙Ｐの下側（画像形成された側とは反対側）を支持し、搬送する搬送ローラ（符号なし）及びベルト（符号なし）を設けている。
【００３５】
記録紙Ｐを収納し給紙する給紙トレイ部４は、記録紙収納部ＴＲ及び給紙部Ｑを備えた給紙トレイ４Ａ、４Ｂ、４Ｃを有する。このように記録紙収納部ＴＲと給紙部Ｑは画像形成部３の下方に多段配置される。記録紙収納部としての給紙トレイ４Ａ、４Ｂは、所定のサイズの記録紙Ｐを収納するものであり、給紙トレイ４Ｃは、小サイズから大サイズまでの各種サイズの記録紙Ｐを収納することができるユニバーサルトレイ型の記録紙収納部である。
【００３６】
本発明に係わる給紙トレイ４Ａ等の詳細については後記する。
搬送部５は、給紙トレイ部４から給紙された記録紙Ｐを画像形成部３へと搬送する搬送部であり、各給紙トレイ４Ａ、４Ｂ、４Ｃそれぞれに収納された記録紙Ｐを画像形成部３へと搬送できるように構成してある。
【００３７】
排紙・再給紙部６は、画像形成部３で画像形成された記録紙Ｐを排紙或いは再給紙する。排紙・再給紙部６は、トナー像が定着された記録紙Ｐを定着手段３８から排出する定着排出ローラ６１、定着排出ローラ６１により排出された記録紙Ｐをそのまま機外へ排出する場合と表裏反転させた後、排出する或いは裏面に画像形成するために再給紙する場合とで搬送路を切り替える切替手段６２、記録紙Ｐを機外に排出するための排紙ローラ６３、画像形成装置の側面に設けられた排紙ローラ６３により排出された記録紙Ｐを積載する排紙トレイ６４、再給紙される記録紙Ｐの表裏を反転させる反転手段６５及び反転手段６５で反転された記録紙Ｐを画像形成部３へと再給紙する再給紙部６６とを有する。
【００３８】
画像形成された記録紙Ｐをそのまま、即ち、画像形成された面を上側にして排出する場合は、切替手段６２を図１にて一点鎖線で示す位置に位置させ、定着排出ローラ６１、排紙ローラ６３によって、機外の排紙トレイ６４へと排出する。
【００３９】
また、表裏を反転させた記録紙Ｐの排紙、すなわち、画像形成された面を下側にして排出する場合は、切替手段６２を図１にて実線で示す位置に切り替え、定着排出ローラ６１により搬送される記録紙Ｐを、一旦、反転手段６５の方向へ搬送し、記録紙Ｐが切替手段６２を通過した後、搬送方向を逆転させて、排紙ローラ６３によって機外の排紙トレイ６４へと排出する。
【００４０】
一方、記録紙Ｐの裏面に画像形成する場合は、切替手段６２を図１にて実線で示す位置に位置させ、定着排出ローラ６１により搬送される記録紙Ｐを反転手段６５の方向に搬送し、反転手段６５によってスイッチバックを行わせることにより表裏反転をなし、再給紙部６６へと搬送する。
【００４１】
再給紙部６６に搬送された記録紙Ｐは、ループ形成ローラ５５と中間搬送ローラ５４１のところで搬送路に合流し、給紙トレイ部４からの給紙と同様に、画像形成部３へと搬送される。
【００４２】
搬送部５は、給紙トレイ部４の給紙部Ｑにより形成される個別搬送路ａに続く、縦搬送路ｂを有する。搬送路ａは、給紙トレイ４Ａ、４Ｂ、４Ｃからプレレジストローラ５３Ａ、５３Ｂ、５３Ｃに至るまでの搬送路であり、各給紙トレイ４Ａ、４Ｂ、４Ｃのそれぞれに対して設けられている。搬送路ｂは、中間搬送ローラ５４３からループ形成ローラ５５に至るまでの搬送路であり、給紙トレイ４Ａおよび給紙トレイ４Ｂと、給紙トレイ４Ｃから搬送された記録紙Ｐが共通に通過する搬送路である。
【００４３】
なお、給紙トレイ４Ａからは、中間搬送ローラ５４２、５４３を通ることなく、プレレジストローラ５３Ａから中間搬送ローラ５４１を経てループ形成ローラ５５に記録紙Ｐが搬送される。
【００４４】
参照符号で示す５１は後記するピックアップ手段であり、５２は後記する分離手段であり、５３は後記するレジスト手段をそれぞれ示している。当該各手段の構成部品であるガイド５７１、５７２その他は、同一のものが設けられており、機能も共通であるので共通の符号を付している。
【００４５】
次に本発明に係わる給紙トレイの給紙部の構成について給紙トレイ４Ａを使い説明をする。
【００４６】
図３は、給紙トレイの給紙部の詳細を説明するための平面図である。
当該平面図は、給紙トレイ４Ａが画像形成装置本体から引き出された位置にあり、ピックアップ手段５１、ガイド手段である７０、７５はともに倒置されたまま、図示しない記録紙Ｐ上に置かれた状態を示している。
【００４７】
前記給紙トレイ４Ａは、矢印Ｙ１、Ｙ２で示す方向へ出し入れが可能であり、Ｙ１方向へ挿入すると画像形成装置本体内における記録紙Ｐの給紙可能な所定位置にセットでき、Ｙ２方向いっぱいに引き出された位置では、ピックアップ手段５１およびガイド手段７０、７５を起立状態にしてから記録紙Ｐの補給ができる。
【００４８】
そして、記録紙Ｐが矢印で示す方向へ搬送され搬送部５へ進みうる。
前記給紙部Ｑは、ピックアップ手段５１と、ガイド手段７０、７５と、カム手段８０と、分離手段５２及びレジスト手段５３とから構成されている。
【００４９】
前記ピックアップ手段５１は、揺動回転の可能な記録紙Ｐ送り出しの為のピックアップローラ５１１とその軸５１２と、当該ピックアップローラ５１１を支持する支持レバー５１３と、当該ピックアップローラ５１１に回転を付与するタイミングプーリに掛け回されたタイミングベルト５１４と、前記支持レバー５１３を揺動回転を可能に支持する支持軸５１５とからなる。当該支持軸５１５はタイミングベルトへ動力を伝える駆動軸をも兼ねている。
【００５０】
前記ガイド手段７０、７５は、前記支持軸５１５と同軸芯線上で共に揺動回転が可能で、前記ピックアップローラ５１１との接触回転により送り出される記録紙Ｐのガイドができる、前記軸５１２に連動する２つのガイド板からなる。
【００５１】
参照符号７０で示すのは、ガイド手段１で、Ｌ形状（アングル形状でもある）を有し、挿入方向側端部近傍のＬ形状の一方の面と同一平面上に台形状の突起部７０２が形成され、もう一方の面（紙面に垂直に表示）には、揺動回転を可能にする支持軸７０５の貫通孔が形成される２つの支持部７０７が、引き出し方向Ｙ２（挿入方向Ｙ１でもある）と直交方向に形成され、且つ、引き出し方向Ｙ２側に形成される垂直片７０９とを有するガイド板７０１からなる。
【００５２】
前記垂直片７０９には、前記軸５１２と連動させる為の円弧状の図示されていない長孔７１０も形成されている。
【００５３】
参照符号７５で示すのは、ガイド手段２で、Ｌ形状を有し、一方の面の挿入方向側端部に形成される垂直片７５２と、もう一方の面（紙面に垂直に表示）には、前記支持部７０７と同軸芯線上での揺動回転を可能にする２つの支持部７５７が、前記方向Ｙ２と直交方向に形成されるガイド板７５１からなる。前記垂直片７５２には、前記軸５１２と連動させる為の円弧状の図示されてない長孔７５３も形成されている。また、前記支持部７５７にはフレーム７６２とガイド５７１に形成されている垂直部５７１Ａとに回転可能に組み付けられる。
【００５４】
実施の形態において、前記ガイド板７０１、７５１は共に樹脂材料である。
前記カム手段８０は、扇形状をなす板状のカム８０１と、当該カム８０１の揺動回転中心部を支持する支持軸８０３と、前記支持部７０７のうち、挿入方向端部側の支持部とカムとの接触をさせるための弾性部材としてのコイルバネ８０５と、コイルバネ８０５を掛ける孔８０７と、画像形成装置本体に設けてあるストライカＳＵとから構成される。
【００５５】
前記カム８０１の前記支持部と接触させる側は、実施の形態において、略、厚み２ｍｍで幅１５ｍｍの接触部８１０を有しており、当該接触部８１０と逆側のカム８０１の下面には、画像形成装置本体に配設してあるストライカＳＵと当接させるボス８１１が形成されている。
【００５６】
前記分離手段５２は、搬送ローラ５２１とその両サイドに伸びている支持軸５１５と当該支持軸５１５を支持するフレーム７６２、７６３とからなり、前記搬送ローラ５２１の下側に設けられている図２に示す捌きローラ５２２とによって、搬送されてくる記録紙Ｐを１枚に分離して次へ搬送できる。
【００５７】
前記レジスト手段５３は、２つのプレレジストローラ５３Ａとその支持軸５３１と当該支持軸５３１を支持するフレーム５３３（もう片方は前記カム８０１下に隠蔽）とからなり、前記プレレジストローラ５３Ａの下側に設けられる前記プレレジストローラ５３Ａとにより、前記分離手段５２により分離された記録紙Ｐを一旦突き当てられた後に搬送を再開させ、搬送部５へ送り出す機能を有する。
【００５８】
前記各手段への駆動源からの動力の伝達は、カップリングＣＡ、ギアＧ１、Ｇ２等を介して可能である。また、参照符号５７１はガイドであり、９１３はカバーであると共に後記するストッパを兼ねており、９０１は垂直な側板で、当該側板に組み付けられた軸受け９１１を介して支持軸７０５、および、図示しない軸受けを介して支持軸５３１を回転可能に支持している。
【００５９】
図４は、給紙部のＡ−Ａ矢視方向からの図である。
給紙部Ｑは、記録紙収納部ＴＲに粗い右下がりハッチングで示した収納ケース４０と記録紙Ｐの積載量の変化に応じて可変の昇降板４１とからなり、前記収納ケース４０に形成される垂直壁４０１と水平壁４０２との部位に配設されている。
【００６０】
更に、前記水平壁４０２の右下方に本体フレームＨＦ間に設けてあるアキュライドレール９５０の案内作用により、記録紙収納部ＴＲと給紙部Ｑとからなる給紙トレイ４Ａの引き出しが可能になっている。
【００６１】
実線で表示してあるピックアップ手段５１、ガイド手段７５は、記録紙Ｐ上に倒置された状態を示し、２点鎖線にて表示してあるのは、略垂直に起立状態の前記両手段を示しており、前記支持レバー５１３が、カバー兼ストッパ９１３を背にして略起立状態にあり、実施の形態において、その傾きＫａは略８５度になるようにしてある。
【００６２】
前記両手段の倒置状態において、前記ガイド板７５１のＬ形状の一方の面がほぼ水平になっており、この位置で軸５１２は長孔７５３の一方の端部近くに位置している。
【００６３】
起立操作を矢印右方向に行うと、軸５１２が長孔７５３の円弧中心線に沿って進み、長孔７５３のもう一方の端部まで行くが、この位置から、軸５１２の揺動回転動作に対してガイド板７５１が連れ動作になり、２点鎖線で示す位置まで進み、起立状態になる。しかし、前記ガイド板７５１は自重による作用で、常に記録紙収納部ＴＲ側へ一定の傾きを保っている。
【００６４】
参照符号で表示するＫは、２点鎖線で表示の画像形成装置本体の下端部の水平部であり、この水平部Ｋの下側を給紙トレイ４Ａの出し入れが可能である。
【００６５】
図５は、給紙部のＢ−Ｂ矢視方向からの図である。
図５（ａ）はガイド手段７０とカム手段８０を主にした図であり、図５（ｂ）はガイド板７０１の展開図である。
【００６６】
軸５１２が、垂直片７０９に形成されている長孔７１０の円弧中心線に沿って進むガイド板７０１は、前記ガイド板７５１と同様の動作で共に起立状態に位置している。
【００６７】
当該位置において、ガイド板７０１に台形状の突起部７０２が形成されている一方の面の傾きＫＣが、前記記録紙収納部ＴＲ方向側で、且つ、鉛直面（垂直面とも言える）に対して、略１５度＞０度の範囲の角度で設定されている。
【００６８】
又、２点差線で水平に表示した前記突起部７０２の高さＨは、前記水平部Ｋ（上側が給紙トレイの場合には、その下端部がＫに相応）と、略１０ｍｍ〜１ｍｍのオーバラップ量を有して当接できるように設定される。
【００６９】
カム８０１は、支持軸８０３に嵌合され、紙面に対して垂直方向の揺動回転を可能にしてある。
【００７０】
カム８０１に形成される接触部８１０は、コイルバネ８０５の引っ張り力で支持部７０７と弱い力で接触を保っていて、挿入動作でボス８１１が前記ストライカＳＵと当接することで前記カム８０１に対して揺動回転動作を付与し、接触部８１０が支持部７０７に作用し、ガイド手段７０、７５及びピックアップ手段５１とを倒置できる構成となっている。
【００７１】
図５（ｂ）に示す突起部７０２には、実施の形態において、略高さ３１ｍｍの台形頂部から挿入方向側へ下がり勾配を有し、その傾斜が４５度にしてある。
【００７２】
図６は、挿入及び引き出し時の当接により突起部に生ずるベクトル解析図である。
【００７３】
図６（ａ）は当接部位を示す図であり、図６（ｂ）はガイド板７０１を倒置するように作用するベクトルを示す図である。
【００７４】
図７は、複数の給紙トレイを示した画像形成装置の正面図である。
例えば、給紙トレイ４Ｂを引き出してピックアップ手段等を起立状態にし、前記記録紙収納部ＴＲへ記録紙Ｐを補給している時、何らかの行為で上側の給紙トレイ４Ａが引き出されてきた場合、上側のトレイの前側下端部と突起部７０２の４５度傾斜部７０２Ａとが当接し、或いは、給紙トレイ４Ａに記録紙Ｐを補給している時、片開き扉ＫＴが開かれる場合、当該片開き扉ＫＴの下端部と前記４５度傾斜部７０２Ａとが当接し、その当接する力はＷ矢印方向に作用する。
【００７５】
又は、給紙トレイ４Ａ、４Ｂ、４Ｃの何れかが記録紙Ｐの補給完了後、当該給紙トレイが高速で挿入される何れの場合も、上側にある各給紙トレイの下端部や画像形成装置本体の下端部の水平部Ｋとが前記４５度傾斜部７０２Ａに当接する。
【００７６】
その当接時に発生する力をＦ１とすと、突起部７０２を有する面に傾きＫＣが設けてあるため、その力は、ガイド板７０１を押し下げるように、４５度傾斜部７０２Ａに作用し、当該力Ｆ１が、Ｆ２とＦ３の２つの分力を生ずるものと考えることができる。
【００７７】
そして、分力Ｆ２は、ガイド板７０１の面にたいして直交方向に作用し、もう１つの分力Ｆ３は、当該ガイド板７０１の面に反って作用する。
【００７８】
しかし、ガイド板７０１は、支持軸７０５に支持されていて、当該支持軸７０５を支点としてモーメントが発生する。そのモーメントＭは、左回りのＦ２Ｌ２＋Ｆ３Ｌ１であり、このモーメントにより、前記ピックアップ手段等を確実に倒置するように働く。
【００７９】
この様に、ガイド板７０１の一方の面の挿入方向端部近傍に形成した、例えば前記４５度の傾斜部と、起立状態における前記一方の面に前記傾きＫＣを付けた構成により、当接時にガイド手段側に加えられる力がスムーズに受け止められると共に確実にガイド手段等を倒置可能にした。
【００８０】
以上の構成にすることにより、簡易なガイド手段にて、給紙トレイの引き出し時、或いは、高速挿入時に生ずる課題を解消し、ピックアップ手段等の破損、噛み込み、給紙トレイの外装面や画像形成装置本体への傷を解消し、コストの安い給紙装置及び給紙装置を搭載した画像形成装置を提供できた。
【００８１】
【発明の効果】
本発明により、簡易なガイド手段にて、給紙トレイの引き出し時、或いは、高速挿入時にピックアップ手段等を確実に倒置できるようにし、ピックアップ手段等と給紙トレイ或いは画像形成装置本体との衝突による破損、噛み込みを解消し、給紙トレイや画像形成装置の外装面の傷を無くし、コストの安い給紙装置及び給紙装置を搭載した画像形成装置を提供することが出来た。
【図面の簡単な説明】
【図１】画像形成装置の全体構成を説明するための模式図である。
【図２】給紙部及び搬送部を説明するための模式図である。
【図３】給紙トレイの給紙部の詳細を説明するための平面図である。
【図４】給紙部のＡ−Ａ矢視方向からの図である。
【図５】給紙部のＢ−Ｂ矢視方向からの図である。
【図６】挿入及び引き出し時の当接により突起部に生ずるベクトル解析図である。
【図７】複数の給紙トレイを示した画像形成装置の正面図である。
【符号の説明】
Ｐ　記録紙
４Ａ、４Ｂ、４Ｃ　給紙トレイ
Ｑ　給紙部
ＴＲ　記録紙収納部
５１　ピックアップ手段
５１１　ピックアップローラ
５１２　軸
５１３　支持レバー
７０、７５　ガイド手段
７０１、７５１　ガイド板
７０２　突起部
７０９、７５２　垂直片
７１０、７５３　長孔
【図１】
2004051321.tif 000003
【図２】
2004051321.tif 000004
【図３】
2004051321.tif 000005
【図４】
2004051321.tif 000006
【図５】
2004051321.tif 000007
【図６】
2004051321.tif 000008
【図７】
2004051321.tif 000009